(57)【要約】【課題】  無線通信システムにおける伝送路の状態や通信帯域の変更状況に合わせて、訂正能力を高め、パケット消失を低減することができる無線通信システム、移動端末装置及び基地局装置を得ることを目的とする。【解決手段】  送信信号処理部８において、制御部１６は、通常、スイッチ１４及び１５をＡ側に接続するよう指令しているが、例えばブロッキング情報や受信信号劣化の情報、帯域変更情報などの送信パケット消失が生じる事象の情報に基づき、スイッチ１４及び１５をＢ側に接続するよう指令する。このスイッチ１４及び１５がＢ側への接続されると、送信パケットに対して消失訂正符号化処理が行われる。消失訂正符号化された送信パケットは、識別符号付加回路１８により消失訂正符号化処理がされていることを示す識別符号が付される。【選択図】        図２
2008124613.tif 000002
【特許請求の範囲】
【請求項１】
移動端末装置と基地局装置との間で無線通信を行う無線通信システムにおいて、上記移動端末装置は、パケットに誤り検出符号を付加する誤り検出付加手段と、パケットを消失訂正符号化する消失訂正符号化手段と、この消失訂正符号化手段により消失訂正符号化されたパケットに識別符号を付加する識別符号付加手段と、送信パケット消失を生じる事象の情報に基づき、送信パケットが上記誤り検出付加手段に入力されている状態から、上記消失訂正符号化手段及び上記識別符号付加手段を経由して上記誤り検出付加手段に入力する状態に切り替える切替手段とを具備し、上記基地局装置は、上記移動端末装置から送信され受信した受信パケットの誤り検出を行う誤り検出手段と、上記識別符号が付されている受信パケットを消失訂正復号する消失訂正復号化手段とを具備したことを特徴とする無線通信システム。
【請求項２】
パケットに誤り検出符号を付加する誤り検出付加手段と、パケットを消失訂正符号化する消失訂正符号化手段と、この消失訂正符号化手段により消失訂正符号化されたパケットに識別符号を付加する識別符号付加手段と、送信パケット消失を生じる事象の情報に基づき、送信パケットが上記誤り検出付加手段に入力されている状態から、上記消失訂正符号化手段及び上記識別符号付加手段を経由して上記誤り検出付加手段に入力する状態に切り替える切替手段とを備えたことを特徴とする移動端末装置。
【請求項３】
移動端末装置から送信され受信した受信パケットの誤り検出を行う誤り検出手段と、受信パケットに含まれる識別符号により消失訂正符号化されている受信パケットを識別するパケット識別手段と、このパケット識別手段により識別した消失訂正符号化されている受信パケットを消失訂正復号する消失訂正復号化手段とを備えたことを特徴とする基地局装置。
【請求項４】
請求項３に記載した基地局装置において、さらに、上記移動端末装置へ送信パケットを送信する送信部と、上記送信パケットに誤り検出符号を付加する誤り検出付加手段と、上記送信パケットを消失訂正符号化する消失訂正符号化手段と、この消失訂正符号化手段により消失訂正符号化された上記送信パケットに識別符号を付加する識別符号付加手段と、送信パケット消失を生じる事象の情報に基づき、上記送信パケットが上記誤り検出付加手段に入力されている状態から、上記消失訂正符号化手段及び上記識別符号付加手段を経由して上記誤り検出付加手段に入力する状態に切り替える切替手段とを具備したことを特徴とする基地局装置。
【請求項５】
上記送信パケット消失を生じる事象の情報は、上記パケット識別手段により消失訂正符号化されている受信パケットが識別されたことであることを特徴とする請求項４に記載の基地局装置。
【発明の詳細な説明】
【技術分野】
【０００１】
この発明は、ブロッキング、シャドウイング、フェージング等の伝送路の劣化時や、伝送速度の切替時等で発生する無線通信回線の瞬断が生じる場合に、送受信しているパケットの消失を低減して無線通信を行う無線通信システム、移動端末装置及び基地局装置に関するものである。
【背景技術】
【０００２】
無線通信においては、無線伝送路にブロッキング、シャドウイング、フェージング等が発生して、伝送路の劣化が生じている場合や、伝送帯域をトラフィックの量に合わせて変更する場合に、無線通信回線の瞬断が発生し、この瞬断のために無線通信回線において伝送されているパケットが消失することがある。このパケット消失は、地上系無線通信システムでは移動端末装置と基地局装置との間の伝送路で発生し、衛星通信システムでは移動端末装置と通信衛星との間または通信衛星と基地局装置との間のそれぞれの伝送路で発生する。但し、衛星通信システムにおける基地局装置と通信衛星との間の伝送路は、通信衛星の見通しが良い位置に基地局装置を配置するものであるから、建造物による遮蔽は生じにくいものの、雨天等の気象条件による伝送路の劣化によって、或いは伝送帯域の変更によって無線通信回線の瞬断が生じることがある。例えば、特開平８−２９８６８８号公報には、通信衛星回線と地上系無線回線の両方により基地局との間で通信することができる移動端末装置において、パケット消失を低減する方式が開示されている。この公報によれば、移動端末装置は、地上無線回線を選択している状態では誤り訂正能力を優先したブロック符号を使用し、衛星通信回線を選択している状態では消失訂正能力を優先したブロック符号を使用するものである。
【０００３】
【特許文献１】特開平８−２９８６８８号公報
【発明の開示】
【発明が解決しようとする課題】
【０００４】
特許文献１に記載の方式は、地上通信回線と衛星通信回線とによる無線通信において、消失訂正符号と誤り訂正符号の両方を使用しており、それらの訂正能力の優先性を地上系無線システムと、衛星通信システムとで区別するものであるが、この方式では、常時、消失訂正符号と誤り訂正符号の両方が行われるため、これらの符号化によって生じるパリティパケットが増加し、伝送する情報パケットの伝送速度が低下するという問題点があった。
【０００５】
この発明は、上記のような問題点を解決するためになされたもので、無線通信システムにおける伝送路の状態や通信帯域の変更状況に合わせて、訂正能力を高め、パケット消失を低減することができる無線通信システム、移動端末装置及び基地局装置を得ることを目的とする。
【課題を解決するための手段】
【０００６】
請求項１の発明に係る無線通信システムは、移動端末装置と基地局装置との間で無線通信を行う無線通信システムにおいて、上記移動端末装置は、パケットに誤り検出符号を付加する誤り検出付加手段と、パケットを消失訂正符号化する消失訂正符号化手段と、この消失訂正符号化手段により消失訂正符号化されたパケットに識別符号を付加する識別符号付加手段と、送信パケット消失を生じる事象の情報に基づき、送信パケットが上記誤り検出付加手段に入力されている状態から、上記消失訂正符号化手段及び上記識別符号付加手段を経由して上記誤り検出付加手段に入力する状態に切り替える切替手段とを具備し、上記基地局装置は、上記移動端末装置から送信され受信した受信パケットの誤り検出を行う誤り検出手段と、上記識別符号が付されている受信パケットを消失訂正復号する消失訂正復号化手段とを具備したものである。
【０００７】
請求項２の発明に係る移動端末装置は、パケットに誤り検出符号を付加する誤り検出付加手段と、パケットを消失訂正符号化する消失訂正符号化手段と、この消失訂正符号化手段により消失訂正符号化されたパケットに識別符号を付加する識別符号付加手段と、送信パケット消失を生じる事象の情報に基づき、送信パケットが上記誤り検出付加手段に入力されている状態から、上記消失訂正符号化手段及び上記識別符号付加手段を経由して上記誤り検出付加手段に入力する状態に切り替える切替手段とを備えたものである。
【０００８】
請求項３の発明に係る基地局装置は、移動端末装置から送信され受信した受信パケットの誤り検出を行う誤り検出手段と、受信パケットに含まれる識別符号により消失訂正符号化されている受信パケットを識別するパケット識別手段と、このパケット識別手段により識別した消失訂正符号化されている受信パケットを消失訂正復号する消失訂正復号化手段とを備えたものである。
【０００９】
請求項４の発明に係る基地局装置は、請求項３の発明に係る基地局装置において、さらに、上記移動端末装置へ送信パケットを送信する送信部と、上記送信パケットに誤り検出符号を付加する誤り検出付加手段と、上記送信パケットを消失訂正符号化する消失訂正符号化手段と、この消失訂正符号化手段により消失訂正符号化された上記送信パケットに識別符号を付加する識別符号付加手段と、送信パケット消失を生じる事象の情報に基づき、上記送信パケットが上記誤り検出付加手段に入力されている状態から、上記消失訂正符号化手段及び上記識別符号付加手段を経由して上記誤り検出付加手段に入力する状態に切り替える切替手段とを具備したものである。
【００１０】
請求項５の発明に係る基地局装置は、請求項４に記載の基地局装置において、上記送信パケット消失を生じる事象の情報は、上記パケット識別手段により消失訂正符号化されている受信パケットが識別されたことであるものである。
【発明の効果】
【００１１】
請求項１乃至請求項５に記載の発明によれば、送信パケット消失を生じる事象の情報に基づき、送信パケットを誤り検出付加手段に入力されている状態から、消失訂正符号化手段及び識別符号付加手段を経由して誤り検出付加手段に入力する状態に切り替えることより、伝送路の状態や通信帯域の変更状況に合わせて、訂正能力を高め、パケット消失を低減することができる。
【発明を実施するための最良の形態】
【００１２】
実施の形態１
【００１３】
この発明の実施の形態１に係る無線通信システムを図１乃至図４を用いて説明する。図１はこの発明の実施の形態１に係る無線通信システムの構成を表す構成図である。図１（ａ）は、通信衛星を介して移動端末装置と基地局装置との間で通信を行う衛星通信システムである場合を、図１（ｂ）は地上系セルラーシステムである場合を示す。図１において、１は移動端末装置、２は基地局装置、３は通信衛星、４は基地局装置２に接続された端末装置である。また、５は移動端末装置１から基地局装置２への上り通信回線、６は基地局装置２から移動端末装置１への下り通信回線である。図１（ａ）では、移動端末装置１は通信衛星３を介して基地局装置２と通信することができ、さらに基地局装置２を経由することにより、端末装置４や他の移動端末装置１とも通信を行うものである。一方、図１（ｂ）では、移動端末装置１は基地局装置２と通信することができ、基地局装置２からネットワークを介することにより、他の移動端末装置１と通信を行うものである。この発明において、移動端末装置１と基地局装置２との間の通信とは、図１（ａ）に示す通信衛星３を介した間接的な通信と、図１（ｂ）に示す直接的な通信との両方を含むものである。
【００１４】
次に、移動端末装置１及び基地局装置２の構成について説明する。図２はこの発明の実施の形態１に係る移動端末装置１の構成を示す機能ブロック図であり、図３はこの発明の実施の形態１に係る基地局装置２の構成を示す機能ブロック図である。図２において、７は移動端末装置１が送信する送信パケットを入力する入力端子であり、送信パケットは映像や音声、データ等が格納されたパケットである。８は送信信号処理部であり、誤り検出処理や、スイッチングによる消失訂正処理を行う。９は送信部、１０は基地局装置２との通信を行うアンテナであり、１１は受信部、１２は受信信号処理部である。１３は受信した受信パケットを出力する出力端子である。送信信号処理部８において、１４及び１５は対となって動作する各スイッチであり、送信パケットに対して消失訂正処理を行うか、又は当該処理をバイパスするかを切り替える。１６はスイッチを制御する制御部である。１７は送信パケットに消失訂正符号化を行う消失訂正符号化回路であり、１８は消失訂正符号化処理した送信パケットに消失訂正符号化処理がされていることを示す識別符号を付加する識別符号付加回路である。１９は誤り検出符号を付加する誤り検出付加回路である。２０は受信パケットの誤り検出を行う誤り検出回路であり、２１はこの誤り検出により正常受信したことが検出された受信パケットにおいて、消失訂正符号化処理が行われていたかどうかを識別するパケット識別回路である。２２は、パケット識別回路２１により消失符号訂正処理が行われていることが識別された受信パケットの消失訂正復号化を行う消失訂正復号化回路である。２３は、パケット識別回路２１により消失訂正符号化処理が行われていないことが識別された受信パケット、及び消失訂正復号化回路２２により復号された受信パケットを多重化するパケット多重化器である。
【００１５】
また、送信部９において、２４は送信信号処理部８からの送信パケットに誤り訂正符号化を行う誤り訂正符号化器であり、２５は誤り訂正符号化後の送信信号を変調する変調器、２６は変調後の送信信号を高周波変換する高周波変換器、２７は高周波変換後の送信信号を高出力増幅してアンテナ１０へ出力する高出力増幅器である。受信部１１において、２８はアンテナにより受信した受信信号を低雑音増幅する低雑音増幅器、２９は低雑音増幅後の受信信号を低周波変換する低周波変換器、３０は低周波変換後の受信信号を復調する復調器、３１は受信信号の誤り訂正を行い、受信信号処理部１２へ出力する誤り訂正回路である。
【００１６】
次に基地局装置２の構成を説明する。図３において、３２は送信パケットの入力端子、３３は基地局装置２で扱う複数の通信チャネルに対応する複数の送信信号処理部、３４は各送信信号処理部３３に対応する送信部、３５は複数チャネルの送信信号を合成する合成器、３６は合成後の高周波送信信号を高出力増幅する高出力増幅器であり、３７は移動端末装置１との間で通信を行うアンテナである。３８は受信信号を低雑音増幅する低雑音増幅器、３９は受信信号を複数の通信チャネルに分配する分配器、４０は各通信チャネルに対応する受信部、４１は各通信チャネルに対応する受信信号処理部である。なお、図３の基地局装置２内の回路ブロックにおいて、図２の移動端末装置１内の回路ブロックに相当するブロックには同一名称を付し、図２の移動端末装置１内の回路ブロックに相当する機能を有する。
【００１７】
次に移動端末装置１及び基地局装置２の動作について説明する。移動端末装置１は、伝送路の劣化や通信帯域変更が発生していない状態では、スイッチ１４及び１５が図２中のＡ側に接続されて消失訂正符号化をバイパスする。一方、伝送路の劣化や通信帯域変更が発生することが検知されたときには、その伝送路の劣化が生じている期間、及び帯域変更時点を含む所定期間は、スイッチ１４及び１５が図２中のＢ側に接続され、送信パケットに対する消失訂正符号化処理を行う。移動端末装置２が伝送路の劣化を検知する状態としては、移動端末装置１が下り通信回線６により受信した受信信号の回線品質が劣化しており、同様の伝送路劣化が上り通信回線５にも生じていると予測する場合がある。受信信号の回線品質は復調器３０におけるビットエラーレート（ＢＥＲ）や受信レベル等により検出することができる。また、都市部の高層建造物の周辺や山間地域など、通信衛星３や基地局装置２の見通しが悪い場所を特定地域としてマップ化しておき、移動端末装置１の位置がマップ上の当該特定地域にあるかどうかをマップ座標位置から判定して、ブロッキング等情報信号として端子入力する。移動端末装置１の位置はＧＰＳ受信機により計測できる。なお、図２において、ＧＰＳ受信機やマップデータ、座標位置による判定回路は図示を省略した。
【００１８】
さらに、通信帯域を変更する場合にも伝送路が瞬断する場合がある。通信帯域の変更は、移動端末装置１が送信する伝送情報量が増減する場合に、帯域幅を増減させて通信ができるようにして周波数の有効利用を図るものであり、移動端末装置１内に送信情報量を測定する情報量測定回路を設けて、帯域変更が必要かどうかを判定する。この情報量測定回路は、例えばＴＣＰ／ＩＰパケットに付加されているウィンドウサイズや、実際に移動端末装置中にバッファされるデータ量の増減をモニタすることにより送信情報量を測定する。このような伝送情報量の増減は、アプリケーションの要求によって発生する場合や、移動端末装置１に複数の情報端末や電話装置が接続されて発生する場合等がある。移動端末装置１は帯域変更の必要がある場合には、送信信号に帯域変更要求信号を重畳して基地局装置２へ送信する。この帯域変更要求信号は、具体的に必要な伝送量をパケットに格納した信号であってもよいし、単に帯域の増加又は減少を要求する信号であってもよい。基地局装置２は、移動端末装置１からの送信信号から帯域変更要求信号を読み出し、要求された帯域幅増加が可能であれば新たな通信帯域を移動体端末装置１に割り当てる。単に帯域の増加又は減少を要求する信号を用いる場合には、基地局装置２は、予め通信システムで設定されたステップ幅で帯域を増減させるように回線変更割当てを行う。基地局装置２は新たな通信帯域（中心周波数と帯域幅）を含む帯域割当信号を当該帯域変更要求をした移動端末装置１に送信し、移動端末装置１はこの帯域割当信号に基づき、通信帯域を変更する。この通信帯域の変更は、移動端末装置１の送信部９内の変調器２５及び高周波変換器２６により行う。
【００１９】
これらの送受信パケットの消失が生じる事象の情報（即ち、ブロッキング等の情報、ＢＥＲ情報、受信レベル情報、帯域変更情報等）を制御部１６に入力し、制御部１６において、消失訂正符号化処理を行う期間（開始と終了）を設定し、送信パケットに消失訂正符号化処理を行う。具体的には、制御部１６は、入力されるブロッキング等情報、ＢＥＲ情報、受信レベル情報、帯域変更情報に基づいて、受信信号の劣化やブロッキング等が生じる期間や、帯域変更時点を含む所定期間を決定し、この期間において、送信パケットを消失訂正符号化するためにスイッチ１４及び１５をＢ側に接続するよう指令する。例えば、ブロッキング等情報や、受信レベル情報やＢＥＲ情報については、所定のしきい値と比較して劣化を判定し、劣化していると判定されている間は、送信パケットが伝送路や回路内で消失する可能性があり、劣化している期間について消失訂正符号化を行う。また、帯域変更時点は既知であり、この帯域変更時を含む所定期間（少なくとも消失訂正符号化処理に供するパケット数分の期間）について消失訂正符号化を行う。
【００２０】
消失訂正符号化回路１７は入力される送信パケットに対して消失訂正符号化を行う。パケットの消失訂正について、図４を用いて説明する。図４（ａ）の消失訂正では、送信側において、情報パケット（Ｐ１乃至Ｐ５）から符号化規則に基づくパリティパケット（Ｐ６乃至Ｐ９）を生成し、これらのパケット（Ｐ１乃至Ｐ９）を送信する。受信側は何らかの原因で、Ｐ２、Ｐ５、Ｐ７のパケットを消失して受信するが、正しく受信したパケットからＰ２、Ｐ５、Ｐ７のパケットを再生する。また図４（ｂ）の消失訂正では、送信側において、情報パケット（Ｐ１乃至Ｐ５）から符号化規則に基いて符号化パケット（Ｐ６乃至Ｐ１４）を生成し、符号化パケット（Ｐ６乃至Ｐ１４）を送信する。受信側は何らかの原因で、Ｐ７、Ｐ１０、Ｐ１２のパケットを消失して受信するが、正しく受信したパケットから情報パケット（Ｐ１乃至Ｐ５）を再生する。符号化規則は、現在種々の研究開発が盛んに行われており、例えば、リードソロモン（ＲＳ）符号やＬＤＰＣ（Ｌｏｗ  Ｄｅｎｓｉｔｙ  Ｐａｒｉｔｙ  Ｃｈｅｃｋ）符号を用いる規則等が知られている。
【００２１】
識別符号付加回路１８は消失訂正符号化処理した送信パケットに消失訂正符号化処理がされていることを示す識別符号を付加し、さらに誤り検出付加回路１９により誤り検出符号を付加する。上記の消失訂正符号化回路１７による消失訂正符号化が複数の送信パケットを１つのパケットブロックとして符号化を行うのに対して、誤り検出付加回路１９による誤り検出付加は、個々の送信パケットに対して誤り検出をするためのパリティビットを付加する処理である。この誤り検出付加は、例えばＣＲＣ（Ｃｙｃｌｉｃ  Ｒｅｄｕｎｄａｎｃｙ  Ｃｈｅｃｋ）巡回符号等により誤り検出用のパリティビットを生成し、パケットに付加するものである。この誤り検出付加後の送信パケットに対して、誤り訂正符号化器２４により誤り訂正符号化処理を行う。この誤り訂正符号化処理は、例えば畳込み符号や、ターボ符号等による誤り訂正符号化処理である。誤り訂正符号化された送信パケットは変調器２５により変調され、高周波変換器２６により高周波変換され、高出力増幅器２７により増幅され、アンテナ１０から送信される。この送信信号を基地局装置２により受信する。
【００２２】
次に移動端末装置１の受信側の回路の動作について説明する。基地局装置２から送信された送信信号をアンテナ１０により受信し、受信信号を低雑音増幅、低周波変換し、復調器３０により復調する。復調後の受信パケットに対して誤り訂正回路３１は、ビタビ復号処理やターボ復号処理を行って誤り訂正を行う。誤り検出回路２０は、各受信パケットのパリティチェックを行い、正しく受信されているかどうかを判別する。この誤り検出回路２０によりパリティエラーが生じている受信パケットは破棄される。例えば、図４（ａ）におけるＰ２、Ｐ５、Ｐ７のように正しく受信されなかったパケットは、誤り検出回路２０によりパリティエラーが生じて消失されたこととなり、破棄される。誤り検出処理にて正しく受信されたと判別された受信パケットは、パケット識別回路２１に入力され、消失訂正符号化がされているかどうかを識別符号により識別する。なお、基地局装置２から移動端末装置１への送信信号に、消失訂正符号化処理を行うかどうかは移動端末装置１と類似するが、これについては後述する。基地局装置２から移動端末装置１への送信信号に消失訂正符号化処理がされている場合にも、移動端末装置１内の識別符号付加回路１８と同様に識別符号が付される。この識別符号によって、消失訂正符号化されていると識別される受信パケットは消失訂正復号化回路２２に入力され、消失訂正符号化されていないと識別される受信パケットはパケット多重化器２３に入力される。消失訂正復号化回路２２は、復号化規則に基づいてパケット再生処理を行い、再生された受信パケットをパケット多重化器２３へ出力する。パケット多重化器２３は、入力された受信パケットを多重化して出力する。
【００２３】
次に基地局装置２の動作について説明する。基地局装置２の送信側の回路において、各通信チャネルを構成する送信信号処理部３３の動作は、移動端末装置１の送信信号処理部８と同様であるが、制御部４５においてスイッチ４３及びスイッチ４４の切り替えを行う制御は異なるものとなっていてもよい。即ち、衛星通信システムにあっては、基地局装置２は通信衛星３の見通しが良い場所に固定設置されるので、移動端末装置１のように移動して生じるブロッキングによる伝送路劣化はあまり問題とならない。また、地上系通信システムの場合にも、複数の移動端末装置１の位置情報に基づいて、移動端末装置１がプロッキングを生じる領域に位置するかどうかを、基地局装置２側で判定することは煩雑に過ぎるため実現性に乏しい。一方、気象条件によっては、基地局装置２から移動端末装置１への送信回線（下り通信回線６）の伝送路に劣化を生じる場合があり、また、移動端末装置１によって帯域変更が要求され、新たな通信帯域を割当てた後、基地局装置２の送信回線（下り通信回線６）を切り替える場合には、その切り替え時に瞬断が発生する場合がある。これらの場合には基地局装置２から移動端末装置１への送信においてパケット消失が生じる可能性があり、基地局装置２の制御部４５は送信パケットに消失訂正符号化処理を行うべくスイッチ４３とスイッチ４４とをＢ側に接続するよう動作する。また、移動端末装置２からの受信信号は受信信号処理部４１で処理しているが、この受信信号処理部４１内のパケット識別回路５６が受信パケットに消失訂正符号化処理がされているとの識別符号を検出した場合、移動端末装置１側は伝送路上にパケット消失要因があると判定していることが判るので、この受信パケット中の識別符号を検出したことに基づき、基地局装置２からの送信パケットに対して消失訂正符号化回路４６を経由して処理されるべく、制御部４５からスイッチ４３及び４４に対しＢ側への接続を指令しても良い。基地局装置２の受信側回路において、移動端末装置１から送信された送信信号をアンテナ３７により受信し、受信信号を低雑音増幅し、分配器３９により通信チャネルごとに分配し、低周波変換して復調する。復調後の受信パケットの処理を行う誤り訂正回路５４や、各受信信号処理部４１での信号処理は、移動端末装置１の受信側回路の動作と同様であり説明を省略する。
【００２４】
基地局装置２において、パケット識別回路５６が受信パケットに消失訂正符号化処理がされているとの識別符号を検出したときに、制御部４５からスイッチ４３及び４４をＢ側へ接続するよう指令し、基地局装置２からの送信パケットに対して消失訂正符号化回路４６を経由して消失訂正符号化処理する場合を述べたが、同様に、移動端末装置１において、パケット識別回路２１が受信パケットに消失訂正符号化処理がされているとの識別符号を検出したときに、制御部１６からスイッチ１４及び１５をＢ側へ接続するよう指令し、移動端末装置１からの送信パケットに対して消失訂正符号化回路１７を経由して消失訂正符号化処理することもできる。このような処理を行う場合、移動端末装置１又は基地局装置２のいずれの装置がより主体的に消失訂正符号化処理を行っているかが問題となるが、以下に示すように制御することができる。
【００２５】
いま、基地局装置２がパケット識別回路５６により受信パケットに消失訂正符号化処理がされているとの識別符号を検出したことに基づき送信パケットを消失訂正符号化する状態、及び通信端末装置１がパケット識別回路２１により受信パケットに消失訂正符号化処理がされているとの識別符号を検出したことに基づき送信パケットを消失訂正符号化する状態を従属状態とする。一方、通信端末装置１及び基地局装置２において、ブロッキング等情報、ＢＥＲ情報、受信レベル情報、及び帯域変更情報等に基づく送信パケットの消失が生じる事象の情報に基づき送信パケットに消失訂正符号化処理を行っている状態を独立状態とする。通信端末装置１内の識別符号付加回路１８、及び基地局装置２内の識別符号付加回路４７において、送信パケットに上記の従属状態又は独立状態を識別する状態符号（従属符号、独立符号と呼び、例えば１又は０のビット情報である。）を付加する。
【００２６】
例えば、移動端末装置１と基地局装置２がともに送信パケットへの消失訂正符号化処理を行っていない状態（以下、通常状態と呼ぶ）から、移動端末装置１において送信パケットの消失が生じる事象の情報に基づき送信パケットに消失訂正符号化処理を行う状態、即ち独立状態に移行すると、これに伴い、基地局装置２は従属状態となって送信パケットに消失訂正符号化処理を行う。このとき、移動端末装置１からの送信パケットには独立符号を付し、基地局装置２からの送信パケットには従属符号を付す。この状態から、基地局装置２が独立状態に移行すると、基地局装置２からの送信パケットにも独立符号を付される。この状態から、いずれか一方の装置、例えば移動端末装置１において、送信パケットの消失が生じる事象が無くなると、移動端末装置１が受信する受信パケットが独立符号を有しているので、移動端末装置１の送信は独立状態から従属状態に移り送信パケットには従属符号が付される。この状態から、さらに基地局装置２において、送信パケットの消失が生じる事象が無くなると、基地局装置２が受信する受信パケットが従属符号を有しているので、基地局装置２の送信は独立状態から通常状態に移り、基地局装置２が送信する送信パケットは消失訂正符号化処理がされない状態となり、これを受信した移動端末装置１は従属状態から通常状態に移り、移動端末装置１が送信する送信パケットも消失訂正符号化処理がされない状態となる。
【００２７】
以上のように、移動端末装置１は基地局装置２に比較して、伝送路のブロッキングやシャドウイング、フェージング等の影響を受けやすく、伝送路が劣化している期間や、通信帯域の変更時を含む期間に、移動端末装置１からの送信パケットに消失訂正符号化を行い、基地局装置２で受信消失するパケットを消失訂正復号により再生することによって、訂正能力を高め、パケット消失を低減することができる。同様に、基地局装置２側でも、送信パケットに消失訂正符号化処理を行う手段を設け、パケット消失を生じる事象の情報に基づいて消失訂正符号化処理を切り替え実施することにより、基地局装置２からの送信パケットについても、訂正能力を高め、パケット消失を低減することができる。また、フェージング等の情報、ＢＥＲ情報、受信レベル情報、帯域変更情報等のパケット消失を生じる事象の情報に基づいて消失訂正符号化処理の有無を切り替え実施することによって、符号化によって生じるパリティパケットの増加を抑えることができ、伝送する情報パケットの伝送速度及び効率の劣化を抑制することができる。
【図面の簡単な説明】
【００２８】
【図１】この発明の実施の形態１に係る無線通信システムの構成を表す構成図である。
【図２】この発明の実施の形態１に係る移動端末装置１の構成を示す機能ブロック図である。
【図３】この発明の実施の形態１に係る基地局装置２の構成を示す機能ブロック図である。
【図４】パケットの消失訂正方法を説明する模式図である。
【符号の説明】
【００２９】
１  移動端末装置
２  基地局装置
１４、１５スイッチ
１６  制御部
１７  消失訂正符号化回路
１８  識別符号付加回路
１９  誤り検出付加回路
２０  誤り検出回路
２１  パケット識別回路
２２  消失訂正復号化回路
【図１】
2008124613.tif 000003
【図２】
2008124613.tif 000004
【図３】
2008124613.tif 000005
【図４】
2008124613.tif 000006